(57)【要約】【課題】  照明システムにおいて制御が行われた原因を適切に解析可能にする。【解決手段】  照明負荷と接続され、該照明負荷の監視・制御を行う照明主操作盤６と；制御・監視の対象機器に接続され、制御・監視の対象機器の監視・制御を行うシステム７、８と；前記照明主操作盤６に接続される第１のゲートウエイ２と；前記システム７、８に接続される第２のゲートウエイ３、４と；前記第１のゲートウエイ２及び前記第２のゲートウエイ３、４を接続するオープンネットワーク１とを具備し；前記第１のゲートウエイ２を介して前記システム７、８から情報が与えられたことに応じて、前記照明主操作盤２による照明負荷の制御が行われた場合に、該制御の原因となった元情報の履歴情報を保存する履歴保存手段１０が、前記第１のゲートウエイ２または前記照明主操作盤６に備えられている。【選択図】  図１
2006092774.tif 000002
【特許請求の範囲】
【請求項１】
照明負荷と接続され、該照明負荷の監視・制御を行う照明主操作盤と；
制御・監視の対象機器に接続され、制御・監視の対象機器の監視・制御を行う監視・制御装置と；
前記照明主操作盤に接続される第１のゲートウエイと；
前記監視・制御装置に接続される第２のゲートウエイと；
前記第１のゲートウエイ及び前記第２のゲートウエイを接続するオープンネットワークとを具備し；
前記第１のゲートウエイを介して前記監視・制御装置から情報が与えられたことに応じて、前記照明主操作盤による照明負荷の制御が行われた場合に、該制御の原因となった元情報の履歴情報を保存する履歴保存手段が、前記第１のゲートウエイまたは前記照明主操作盤に備えられていることを特徴とする照明制御システム。
【請求項２】
照明負荷と接続され、該照明負荷の監視・制御を行うと共に第１のゲートウエイの機能を備えた照明主操作盤と；
制御・監視の対象機器に接続され、制御・監視の対象機器の監視・制御を行う監視・制御装置と；
前記監視・制御装置に接続される第２のゲートウエイと；
前記第１のゲートウエイの機能及び前記第２のゲートウエイによる同一プロトコルによる通信を可能とするオープンネットワークとを具備し；
前記第１のゲートウエイ機能を介して前記監視・制御装置から情報が与えられたことに応じて、前記照明主操作盤による照明負荷の制御が行われた場合に、該制御の原因となった元情報の履歴情報を保存する履歴保存手段が、前記照明主操作盤に備えられていることを特徴とする照明制御システム。
【発明の詳細な説明】
【技術分野】
【０００１】
この発明は、ゲートウエイに接続されたシステムが複数存在し、各システムがゲートウエイが接続されたオープンネットワークを介して同一のプロトコルによる通信が可能となっているネットワークシステムとして構築された照明システムに関するものである。
【背景技術】
【０００２】
従来の斯種照明システムとしては、特許文献１に記載のものが知られている。このシステムでは、第１のゲートウエイに照明システムが接続され、照明システムでは該システム内の照明負荷を監視・制御する。一方、オープンネットワークには第１のゲートウエイの他に第２、第３のゲートウエイが接続されており、第２、第３のゲートウエイには、防犯システムや空調システムが接続されている。
【特許文献１】特開２００３−６８４７３号公報
【０００３】
このシステムでは、オープンネットワークには中央監視装置が接続されており、第１のゲートウエイに接続された照明システムに指示を与えて、照明負荷の制御を行うことが可能となっている。また、例えば、防犯システムから或るドア解錠等の情報が第２のゲートウエイを介してオープンネットワークへ送られると、これを第１のゲートウエイを介して受け取った照明システムでは或るドア解錠等の情報に対応して照明負荷を点灯制御するプログラムが動作する。
【０００４】
しかしながら、上記従来のシステムにおいては、照明システムが保持している履歴情報は、単に第１のゲートウエイ側からの情報を原因として制御を行ったものであるか、照明システム内部からの情報（例えば、壁スイッチの捜査情報）を原因として制御を行ったものであるか、について情報を持つものの、中央監視装置による情報にて制御が行われたのか、他のシステム（防犯システム等）の情報に基づいて制御が行われたのか不明であり、誤動作等に対する解析の場合に不便であった。因みに、中央監視装置には、他のシステム（防犯システム等）から送信された情報の履歴が残るものの、他のシステム（防犯システム等）から送信される情報は、他のシステム（防犯システム等）において監視の結果において検出した情報であり、照明システムに対する指示ではないため、中央監視装置に残っている履歴を参照しても照明システムにおいて制御が行われた原因を適切に解析することは困難であった。
【発明の開示】
【発明が解決しようとする課題】
【０００５】
本発明は上記のような従来のシステムにおける問題点を解決せんとしてなされたもので、その目的は、照明負荷に対する制御について、いずれのシステムから与えられた情報を原因とするのか或いは中央監視装置による情報を原因とするのかを特定可能であり、メンテナンスなどの場合に好適な照明制御システムを提供することである。
【課題を解決するための手段】
【０００６】
本発明に係る照明制御システムは、照明負荷と接続され、該照明負荷の監視・制御を行う照明主操作盤と；制御・監視の対象機器に接続され、制御・監視の対象機器の監視・制御を行う監視・制御装置と；前記照明主操作盤に接続される第１のゲートウエイと；前記監視・制御装置に接続される第２のゲートウエイと；前記第１のゲートウエイ及び前記第２のゲートウエイを接続するオープンネットワークとを具備し；前記第１のゲートウエイを介して前記監視・制御装置から情報が与えられたことに応じて、前記照明主操作盤による照明負荷の制御が行われた場合に、該制御の原因となった元情報の履歴情報を保存する履歴保存手段が、前記第１のゲートウエイまたは前記照明主操作盤に備えられていることを特徴とする。
【０００７】
本発明に係る照明制御システムは、照明負荷と接続され、該照明負荷の監視・制御を行うと共に第１のゲートウエイの機能を備えた照明主操作盤と；制御・監視の対象機器に接続され、制御・監視の対象機器の監視・制御を行う監視・制御装置と；前記監視・制御装置に接続される第２のゲートウエイと；前記第１のゲートウエイの機能及び前記第２のゲートウエイによる同一プロトコルによる通信を可能とするオープンネットワークとを具備し；前記第１のゲートウエイ機能を介して前記監視・制御装置から情報が与えられたことに応じて、前記照明主操作盤による照明負荷の制御が行われた場合に、該制御の原因となった元情報の履歴情報を保存する履歴保存手段が、前記照明主操作盤に備えられていることを特徴とする。
【発明の効果】
【０００８】
本発明に係る照明制御システムでは、第１のゲートウエイを介して監視・制御装置から情報が与えられたことに応じて、照明主操作盤による照明負荷の制御が行われた場合に、該制御の原因となった元情報の履歴情報を保存する構成を有しているので、制御の原因となった元の情報が明らかであり、制御の原因特定が可能であり、メンテナンスなどの場合に好適である。
【発明を実施するための最良の形態】
【０００９】
本発明に係る照明制御システムでは、監視・制御装置から情報が第１のゲートウエイを介して与えられたことに応じて、照明主操作盤による照明負荷の制御が行われた場合に、該制御の原因となった元情報の履歴情報を保存する構成を、第１のゲートウエイ或いは照明主操作盤に設けて本発明の目的を達成したものである。以下添付図面を参照して、本発明に係る照明制御システムの実施例を説明する。各図において同一構成要素には同一の符号を付して重複する説明を省略する。
【実施例１】
【００１０】
図１には、本発明に係る照明制御システムの第１の実施例の構成が示されている。このシステムは、オープンネットワーク１を備え、このオープンネットワーク１にゲートウエイ２、３、４及び中央監視装置５が接続された構成となっている。ゲートウエイの数は、これに接続されるシステムの数に応じて更に多くされることもある。
【００１１】
ゲートウエイ２には、照明主操作盤６が接続されており、照明主操作盤６には、伝送ライン６０を介して壁スイッチなどの監視端末器６１、照明負荷を制御する制御端末器６２、６３、６４、・・・が接続されている。制御端末器６２、６３、６４、・・・には、それぞれ照明負荷７２、７３、７４、・・・が接続されている。
【００１２】
ゲートウエイ３には、例えば空調システム７が接続されており、ゲートウエイ４には、例えば防犯システム８が接続されている。空調システム７は、独立して空調機をオンオフするなどの制御を行う他に、いずれの空調機をオンしたなどの情報をゲートウエイ３を介して送信する。また、防犯システム８は、独立して侵入監視センサによる信号の監視及び警報器の作動制御等を行う他に、いずれの窓或いは扉のセンサがオンしたなどの情報をゲートウエイ４を介して送信する。これら空調システム７と防犯システム８は、制御・監視の対象機器に接続され、制御・監視の対象機器の監視・制御を行う監視・制御装置を構成するものである。
【００１３】
照明主操作盤６は、伝送ライン６０を介して監視端末器６１、制御端末器６２、６３、６４、・・・の監視・制御を行うもので、コンピュータにより構成されている。照明主制御盤６は、ゲートウエイ２を介して中央監視装置５からの制御を受けると共に、ゲートウエイ３に接続された空調システム７からゲートウエイ２を介して状態に関する情報（いずれの空調機をオンしたなどの情報）を受け取り、また、ゲートウエイ４に接続された防犯システム８からゲートウエイ２を介して状態に関する情報（いずれの窓或いは扉のセンサがオンしたなどの情報）を受け取る。
【００１４】
中央監視装置５はゲートウエイ機能を備えており、ゲートウエイ２、３、４にそれぞれ接続されている照明システム、空調システム７、防犯システム８に対して、監視・制御の指示を与えると共に、照明システム、空調システム７、防犯システム８から監視結果の情報、制御結果の情報などを収集して必要な場合に対応する指示を更に与え、送受した情報について履歴を残している。
【００１５】
上記システムにあっては、中央監視装置５はゲートウエイ機能を備えており、ゲートウエイ２、３、４がオープンネットワーク１に接続されおり、ゲートウエイ機能とゲートウエイ２、３、４によって同一のプロトコル（例えば、ＴＣＰ／ＩＰ（Transmission Control Protocol/Internet Protocol））により各システムが相互に通信可能に構成されたシステムとなっている。
【００１６】
この実施例においては、ゲートウエイ２または照明主操作盤６に履歴保存手段１０が備えられている。この履歴保存手段１０は、ゲートウエイ２を介して監視・制御装置である空調システム７や防犯システム８から情報が与えられたことに応じて、前記照明主操作盤による照明負荷の制御が行われた場合に、該制御の原因となった元情報の履歴情報を保存するものである。
【００１７】
まず、実線により示される通り照明主操作盤６に履歴保存手段１０が備えられている場合について説明する。ゲートウエイ２は、情報がオープンネットワーク１から到来すると、送信元のアドレス（中央監視装置５、ゲートウエイ３、ゲートウエイ４を識別するアドレスであって、例えば、ＩＰアドレス）と共に到来情報を照明主操作盤６へ与える。
【００１８】
照明主操作盤６は、コンピュータにより構成され、例えば、図２に示すフローチャートに基づき履歴情報の保存処理を行う。つまり、ゲートウエイ２から情報が到来したのかを監視しており（Ｓ１）、情報が到来すると到来情報を解析して照明負荷の点灯等の制御や情報の返送が必要であるかを検出する（Ｓ２）。解析して制御や情報の返送が不必要である場合には、次の情報を待つことになる。
【００１９】
ステップＳ２による解析の結果、制御や情報の返送が必要である場合には、伝送ライン６０を介して必要な端末器（監視端末器６１、制御端末器６２、６３、６４、・・・）に対する制御により照明負荷の点灯等行い（Ｓ３）、送信元をＩＰアドレスにより解析し（Ｓ４）、ＩＰアドレス毎に制御内容、時刻、受け取った情報を履歴として保存し（Ｓ５）、ステップＳ１へ進んで次の情報を待つ。
【００２０】
以上の処理の結果、中央監視装置５、ゲートウエイ３、ゲートウエイ４のＩＰアドレスがそれぞれ、［Ｘ．Ｘ．Ｘ．Ａ］、［Ｘ．Ｘ．Ｘ．Ｂ］、［Ｘ．Ｘ．Ｘ．Ｃ］である場合には、例えば、図３に示されるように履歴情報が保存される。この履歴情報は一例であり、アドレス毎に分割する必要はない。制御内容としては、いずれの照明負荷であるかを特定可能なポート番号等の識別情報と点灯したのか消灯したのかなどの情報が保存される。また、受け取った情報は、図３に示されるような空調に関する制御情報やセンサのオン情報等である。
【００２１】
次に、破線により示される通りゲートウエイ２に履歴保存手段１０が備えられている場合について説明する。この場合もゲートウエイ２は、情報がオープンネットワーク１から到来すると、送信元のアドレス（中央監視装置５、ゲートウエイ３、ゲートウエイ４を識別するアドレスであって、例えば、ＩＰアドレス）と共に到来情報を照明主操作盤６へ与える。
【００２２】
照明主操作盤６は、コンピュータにより構成され、例えば、図４に示す図２に類似のフローチャートに基づき履歴情報の保存処理を行う。ステップＳ１，Ｓ２，Ｓ３については図２の場合と同様の処理である。ステップＳ３における制御に次いで、ＩＰアドレスと共に制御内容、時刻、受け取った情報をゲートウエイ２へ返送する（Ｓ１１）。これを受け取ったゲートウエイ２は、図３に示すように履歴情報の記憶を行う。
【００２３】
なお、この第１の実施例において、例えば、壁スイッチなどの監視端末器６１における操作などにより照明負荷に対する制御が行われた場合に、照明主制御盤６はこれを検出し、制御端末器６２、６３、６４、・・・に対する制御行うが、この場合のような照明システムにおけるローカルイベントに基づく制御の履歴についても、上記照明主操作盤６或いはゲートウエイ２に保存しておくことができる。これにより、照明システムにおける全ての処理履歴をまとめて保存できる。保存した履歴情報は、オープンネットワーク１に保守用機器を接続して指示を与えて取り出し表示し、またプリントする。勿論、中央監視装置５により指示を与えて取り出し中央監視装置５に付設された表示器にて表示し、また付設されたプリンタによりプリントする。
【実施例２】
【００２４】
図５に第２の実施例に係る照明制御システムの構成図を示す。この照明制御システムにおいては、照明主操作盤６Ａがゲートウエイの機能を備えており、このゲートウエイ機能を介して監視・制御装置である空調システム７や防犯システム８から情報が与えられたことに応じて、前記照明主操作盤６Ａによる照明負荷の制御が行われた場合に、該制御の原因となった元情報の履歴情報を保存する履歴保存手段１０が、前記照明主操作盤６Ａに備えられている。その他の構成は図１の照明制御システムと変わらない。
【００２５】
この実施例では、照明主操作盤６Ａのゲートウエイ機能は、情報がオープンネットワーク１から到来すると、送信元のアドレス（中央監視装置５、ゲートウエイ３、ゲートウエイ４を識別するアドレスであって、例えば、ＩＰアドレス）と共に到来情報を照明主操作盤６Ａ内の制御プログラムへ与える。
【００２６】
制御プログラムは、図６に示すフローチャートに基づき履歴情報の保存処理を行う。つまり、与えられた情報を解析して制御や情報の返送が必要であるかを検出する（Ｓ２１）。解析して制御や情報の返送が不必要である場合には、次の情報を待つことになる。解析の結果、制御や情報の返送が必要である場合には、伝送ライン６０を介して必要な端末器（監視端末器６１、制御端末器６２、６３、６４、・・・）に対する制御行い（Ｓ２２）、送信元をＩＰアドレスにより解析し（Ｓ２３）、ＩＰアドレス毎に制御内容、時刻、受け取った情報を履歴として保存し（Ｓ２４）、終了して次の情報を待つ。
【００２７】
この実施例の場合にあっても、保存される履歴情報は図３に示す如くになる。また、ローカルイベントに基づく制御の履歴についても、この履歴情報と共に照明主操作盤６Ａ内に保存される。これによって、照明システムにおける全ての処理履歴をまとめて保存できる。保存した履歴情報は、オープンネットワーク１に保守用機器を接続して指示を与えて取り出し表示し、またプリントする。勿論、中央監視装置５により指示を与えて取り出し中央監視装置５に付設された表示器にて表示し、また付設されたプリンタによりプリントする。
【図面の簡単な説明】
【００２８】
【図１】本発明に係る照明制御システムにおける第１の実施例の構成を示す図。
【図２】第１の実施例における照明主操作盤の動作を説明するためのフローチャート。
【図３】本発明に係る照明制御システムにより保存された履歴情報の一例を示す図。
【図４】第１の実施例の変形例における照明主操作盤の動作を説明するフローチャート。
【図５】本発明に係る照明制御システムにおける第２の実施例の構成を示す図。
【図６】第２の実施例における照明主操作盤の動作を説明するためのフローチャート。
【符号の説明】
【００２９】
１  オープンネットワーク
２、３、４  ゲートウエイ
５  中央監視装置
６、６Ａ  照明主制御盤
７  空調システム
８  防犯システム
１０  履歴制御手段
６０  伝送ライン
６１  監視端末器
６２、６３、６４  制御端末器
７１、７２、７３  照明負荷
【図１】
2006092774.tif 000003
【図２】
2006092774.tif 000004
【図３】
2006092774.tif 000005
【図４】
2006092774.tif 000006
【図５】
2006092774.tif 000007
【図６】
2006092774.tif 000008